(57)【要約】マッサージ、もみほぐしなどの施術を受ける人の顔、頭、手、腕、足、首、背中、腰などに接触させながらスライド移動させることで、マッサージ、もみほぐしなどの施術を行う施術器であって、良好な施術効果を発揮できる施術器を提案する。  支持体と当該支持体に支持されて先端が人体に接触する複数の接触子とを備えていて、前記複数の接触子の前記人体に接触する面がそれぞれ同一の曲率を有している球面状に形成されている施術器。前記接触子の材質、形状、大きさ、この材質、形状、大きさに対応する隣接する接触子同士の間の間隔、接触子同士の間における配置形式・配置形態が、所定のサイズ、構造、形態に特定されている施術器。
2017119464.tif 000002
【特許請求の範囲】
【請求項１】
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている複数本の金属製の支持棒と、前記複数本の金属製の支持棒の先端にそれぞれ取り付けられている複数個の金属製の球体とからなり、
前記複数個の金属製の球体はそれぞれ同一の大きさの直径を有し、
前記複数本の金属製の支持棒は、それぞれ、前記支持体における同一の支持面上の同一の円周上で円周方向に互いの間に等間隔をあけて複数配置されている支持位置に基端が固定されて立設されていて、それぞれ同一の長さを有し、
前記複数本の金属製の支持棒は、それぞれ、前記基端から前記先端に向かう方向で湾曲変形可能である
施術器。
【請求項２】
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている複数本の金属製の支持棒と、前記複数本の金属製の支持棒の先端にそれぞれ取り付けられている複数個の金属製の球体とからなり、
前記複数個の金属製の球体は同一の大きさの直径を有し、
前記複数本の金属製の支持棒は、それぞれ、前記支持体における同一の支持面上の同一の円周上で円周方向に互いの間に等間隔をあけて複数配置されている支持位置に基端が固定されて立設されていて、それぞれ同一の長さを有し、
前記複数本の金属製の支持棒は、それぞれ、前記基端から前記先端に向かう方向で湾曲変形可能で、
前記複数本の金属製の支持棒及び、前記支持体を介して、波形信号出力手段からの所定の波形信号が前記複数個の金属製の球体に印加される
施術器。
【請求項３】
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている一対の金属製の支持棒と、前記一対の金属製の支持棒の先端にそれぞれ取り付けられている一対の金属製の球体とからなり、
前記一対の金属製の球体がいずれも２４ｍｍ〜２６ｍｍの範囲内における同一の大きさの直径を有し、
前記一対の金属製の球体の互いの外周面同士の間の最も近接している間隔が２１ｍｍ〜２３ｍｍの範囲内における所定の大きさに固定されている状態で前記人体に対する前記一対の金属製の球体の接触が行われるように前記一対の金属製の球体が前記一対の金属製の支持棒によって支持され、
前記一対の金属製の支持棒及び、前記支持体を介して、波形信号出力手段からの所定の波形信号が前記複数個の金属製の球体に印加される
施術器。
【請求項４】
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、それぞれ、前記人体に接触する面の曲率が１／１３ｍｍ〜１／１２ｍｍの範囲内である金属製の棒状体であって、
前記金属製の棒状体からなる複数本の前記接触子が、各接触子の前記人体に接触する先端側球面の頂点と隣接する他の接触子の前記人体に接触する先端側球面の頂点との間に４５ｍｍ〜４９ｍｍの範囲内における同一の大きさの間隔を空けて、直線状に一列に配置されていて、
前記支持体を介して、波形信号出力手段からの所定の波形信号が前記金属製の棒状体からなる複数本の前記接触子に印加される
施術器。
【請求項５】
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、それぞれ、前記人体に接触する面の曲率が１／１３ｍｍ〜１／１２ｍｍの範囲内である金属製の棒状体であって、
前記金属製の棒状体からなる複数本の前記接触子が、各接触子の前記人体に接触する先端側球面の頂点を、中心点を中心とする所定の径の円周上に円周方向で隣接する他の接触子の前記人体に接触する先端側球面の頂点との間に等しい間隔を空け、前記中心点に対して一の前記接触子の前記先端側球面の頂点と、他の前記接触子の前記先端側球面の頂点とが直径対称的になるように配置されていて、
前記支持体を介して、波形信号出力手段からの所定の波形信号が前記金属製の棒状体からなる複数本の前記接触子に印加される
施術器。
【発明の詳細な説明】
【技術分野】
【０００１】
この発明は、マッサージ、もみほぐしなどの施術を受ける人の顔、頭、手、腕、足、首、背中、腰などに接触させながらスライド移動させることで、マッサージ、もみほぐしなどの施術を行う施術器に関する。例えば、低周波施術器に関する。
【背景技術】
【０００２】
マッサージ、もみほぐしなどの施術を受ける人の顔、頭、手、腕、足、首、背中、腰などに接触させながらスライド移動させることで、マッサージ、もみほぐしなどの施術を行う施術器については従来から種々の提案が行われている。【０００３】
このような施術器の中には、特定の形状、構造の施術器を、施術を受ける人の顔、頭、手、腕、足、首、背中、腰などに接触させながら、スライド移動させる施術器が従来から知られている。【０００４】
また、施術器の一種として、複数の導子電極（例えば、一対の導子電極）と、当該複数の導子電極に所定の波形信号を印加する波形信号出力手段とを備えている低周波施術器（例えば、特許文献１、２）も知られている。【０００５】
低周波施術器では複数の導子電極（例えば、一対の導子電極）を人体に接触させながら、当該複数の導子電極に対して１〜９９９Ｈｚの範囲の周波数の波形信号を印加し、前記複数の導子電極が接触している人体に刺激を与えてもみほぐし、等の施術を行っている。すなわち、波形信号出力手段から複数の導子電極に印加する波形信号の周波数を所定の範囲に調整して人体に対する施術が行われる。例えば、低い周波数（１〜５Ｈｚ）での施術や、高い周波数（５０Ｈｚ以上）での施術、これらの低い周波数、高い周波数での施術を交互に繰り返す施術などが行われる。
【先行技術文献】
【特許文献】
【０００６】
【特許文献１】特開平９−７５４６４号公報
【特許文献２】実用新案登録第２５５１５９１号公報
【発明の概要】
【発明が解決しようとする課題】
【０００７】
この発明は、マッサージ、もみほぐしなどの施術を受ける人の顔、頭、手、腕、足、首、背中、腰などに接触させながらスライド移動させることで、マッサージ、もみほぐしなどの施術を行う施術器であって、良好な施術効果を発揮できる施術器を提案することを目的にしている。【０００８】
また、前記施術器の一実施形態として、複数の導子電極と、当該複数の導子電極に所定の波形信号を印加する波形信号出力手段とを備えていて良好な施術効果を発揮できる低周波施術器を提案することを目的にしている。
【課題を解決するための手段】
【０００９】
支持体と当該支持体に支持されて先端が人体に接触する複数の接触子とを備えていて、前記複数の接触子の前記人体に接触する面がそれぞれ同一の曲率を有している球面状に形成されている施術器である。【００１０】
前記接触子の材質、形状、大きさ、この材質、形状、大きさに対応する隣接する接触子同士の間の間隔、接触子同士の間における配置形式・配置形態を所定のサイズ、構造、形態に特定することで課題の解決を図っている。具体的には次のようにしている。【００１１】
［１］
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている複数本の金属製の支持棒と、前記複数本の金属製の支持棒の先端にそれぞれ取り付けられている複数個の金属製の球体とからなり、
前記複数個の金属製の球体はそれぞれ同一の大きさの直径を有し、
前記複数本の金属製の支持棒は、それぞれ、前記支持体における同一の支持面上の同一の円周上で円周方向に互いの間に等間隔をあけて複数配置されている支持位置に基端が固定されて立設されていて、それぞれ同一の長さを有し、
前記複数本の金属製の支持棒は、それぞれ、前記基端から前記先端に向かう方向で湾曲変形可能である
施術器。【００１２】
［２］
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている複数本の金属製の支持棒と、前記複数本の金属製の支持棒の先端にそれぞれ取り付けられている複数個の金属製の球体とからなり、
前記複数個の金属製の球体は同一の大きさの直径を有し、
前記複数本の金属製の支持棒は、それぞれ、前記支持体における同一の支持面上の同一の円周上で円周方向に互いの間に等間隔をあけて複数配置されている支持位置に基端が固定されて立設されていて、それぞれ同一の長さを有し、
前記複数本の金属製の支持棒は、それぞれ、前記基端から前記先端に向かう方向で湾曲変形可能で、
前記複数本の金属製の支持棒及び、前記支持体を介して、波形信号出力手段からの所定の波形信号が前記複数個の金属製の球体に印加される
施術器。【００１３】
［３］
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、前記支持体に立設されている一対の金属製の支持棒と、前記一対の金属製の支持棒の先端にそれぞれ取り付けられている一対の金属製の球体とからなり、
前記一対の金属製の球体がいずれも２４ｍｍ〜２６ｍｍの範囲内における同一の大きさの直径を有し、
前記一対の金属製の球体の互いの外周面同士の間の最も近接している間隔が２１ｍｍ〜２３ｍｍの範囲内における所定の大きさに固定されている状態で前記人体に対する前記一対の金属製の球体の接触が行われるように前記一対の金属製の球体が前記一対の金属製の支持棒によって支持され、
前記一対の金属製の支持棒及び、前記支持体を介して、波形信号出力手段からの所定の波形信号が前記複数個の金属製の球体に印加される
施術器。【００１４】
［４］
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、それぞれ、前記人体に接触する面の曲率が１／１３ｍｍ〜１／１２ｍｍの範囲内である金属製の棒状体であって、
前記金属製の棒状体からなる複数本の前記接触子が、各接触子の前記人体に接触する先端側球面の頂点と隣接する他の接触子の前記人体に接触する先端側球面の頂点との間に４５ｍｍ〜４９ｍｍの範囲内における同一の大きさの間隔を空けて、直線状に一列に配置されていて、
前記支持体を介して、波形信号出力手段からの所定の波形信号が前記金属製の棒状体からなる複数本の前記接触子に印加される
施術器。【００１５】
［５］
支持体と当該支持体に支持されて先端が人体に接触する複数の接触子とを備えていて、前記複数の接触子の前記人体に接触する面がそれぞれ同一の曲率を有している球面状に形成されている施術器であって、
前記接触子は、それぞれ、前記人体に接触する面の曲率が１／１３ｍｍ〜１／１２ｍｍの範囲内である金属製の棒状体であって、
前記金属製の棒状体からなる複数本の前記接触子が、各接触子の前記人体に接触する先端側球面の頂点を、中心点を中心とする所定の径の円周上に円周方向で隣接する他の接触子の前記人体に接触する先端側球面の頂点との間に等しい間隔を空け、前記中心点に対して一の前記接触子の前記先端側球面の頂点と、他の前記接触子の前記先端側球面の頂点とが直径対称的になるように配置されていて、
前記支持体を介して、波形信号出力手段からの所定の波形信号が前記金属製の棒状体からなる複数本の前記接触子に印加される
施術器。
【発明の効果】
【００１６】
この発明によれば、マッサージ、もみほぐしなどの施術を受ける人の顔、頭、手、腕、足、首、背中、腰などに接触させながらスライド移動させることで、マッサージ、もみほぐしなどの施術を行う施術器であって、良好な施術効果を発揮できる施術器を提供することができる。【００１７】
また、施術器の一実施形態として、複数の導子電極と、当該複数の導子電極に所定の波形信号を印加する波形信号出力手段とを備えていて良好な施術効果を発揮できる低周波施術器を提供することができる。
【図面の簡単な説明】
【００１８】
【図１】本発明の一実施形態に係る施術器の概略構成を説明する図。
【図２】本発明の一実施形態に係る施術器の構造を説明する図であって、（ａ）は支持体の支持面上における支持位置の配置状態を説明する平面図、（ｂ）は支持位置に支持棒が立設されている状態を説明する一部を省略した斜視図。
【図３】本発明の施術器の実施形態における複数の球体が配置されている状態を説明する図であって、（ａ）は球体が４個の場合、（ｂ）は球体が５個の場合を説明する図。
【図４】本発明の施術器の実施形態における複数の球体が配置されている状態を説明する図であって、（ａ）は球体が６個の場合、（ｂ）は球体が７個の場合を説明する図。
【図５】本発明の他の実施形態に係る施術器の概略構成を説明する図。
【図６】本発明の他の実施形態に係る施術器の概略構成を説明する図。
【図７】図６に図示されている施術器の概略構成を表す図であって、（ａ）は平面図、（ｂ）は右側面図。
【図８】本発明の他の実施形態に係る施術器の概略構成を説明する図であって、（ａ）は平面図、（ｂ）は側面図。
【発明を実施するための形態】
【００１９】
（施術器の実施形態の一例）
この実施形態の施術器は図１図示のように、支持体２と支持体２に支持されて先端が人体に接触する複数の接触子とを備えている。そして、複数の接触子の人体に接触する面がそれぞれ同一の曲率を有している球面状に形成されている。
【００２０】
図１、図２図示の実施形態では、接触子は、支持体２に立設されている複数本の金属製の支持棒７ａ、７ｂ、７ｃ、７ｄ、７ｅと、複数本の金属製の支持棒７ａ、７ｂ、７ｃ、７ｄ、７ｅの先端にそれぞれ取り付けられている５個の金属製の球体８ａ、８ｂ、８ｃ、８ｄ、８ｅとから構成されている。
【００２１】
５個の金属製の球体８ａ、８ｂ、８ｃ、８ｄ、８ｅはそれぞれ同一の大きさの直径を有する球体である。これによって、複数の接触子の人体に接触する面がそれぞれ同一の曲率を有している球面状に形成されている。
【００２２】
金属製の支持棒７ａ〜７ｅの基端は、それぞれ、支持体２の支持面５上に配置されている支持位置６ａ、６ｂ、６ｃ、６ｄ、６ｅ（図２）に固定されている。
【００２３】
支持体２の支持面５上に配置されている支持位置６ａ〜６ｅ（図２）は、支持体２の同一の支持面５上における同一の円周９上で、円周方向に互いの間に等間隔をあけて配置されている（図２（ａ））。
【００２４】
支持位置６ａ〜６ｅにそれぞれ基端が固定されて立設されている金属製の支持棒７ａ、７ｂ、７ｃ、７ｄ、７ｅは、それぞれ、同一の長手方向長さＬ（図２（ｂ））を有している。
【００２５】
これによって、複数の球体８ａ、８ｂ、８ｃ、８ｄ、８ｅは、それぞれ、支持体２の同一の支持面５上における同一の円周９上で円周方向に互いの間に等間隔をあけて配置されている複数の支持位置６ａ、６ｂ、６ｃ、６ｄ、６ｅに基端が固定されて立設されているそれぞれ同一の長さＬを有する金属製の支持棒７ａ、７ｂ、７ｃ、７ｄ、７ｅの先端に取り付けられている。
【００２６】
複数の金属製の支持棒７ａ、７ｂ、７ｃ、７ｄ、７ｅはそれぞれ支持位置６ａ、６ｂ、６ｃ、６ｄ、６ｅに固定されている基端から、球体８ａ、８ｂ、８ｃ、８ｄ、８ｅが取り付けられている先端に向かう方向で、図２（ｂ）図示のように湾曲変形可能になっている。
【００２７】
上述した通り、支持体２の支持面５上に配置されている支持位置６ａ〜６ｅ（図２）は、支持体２の同一の支持面５上における同一の円周９上で、円周方向に互いの間に等間隔をあけて配置されていて、金属製の支持棒７ａ、７ｂ、７ｃ、７ｄ、７ｅはそれぞれ同一の長さＬを有している。
【００２８】
複数の金属製の支持棒７ａ〜７ｅを、それぞれ、支持位置６ａ〜６ｅに固定されている基端から、球体８ａ〜８ｅが取り付けられている先端に向かう方向で、図２（ｂ）に示すように、湾曲変形することにより、複数の金属製の球体８ａ〜８ｅは、図３（ｂ）に図示するように、同一の円周１０上に配置される配置形式になる。
【００２９】
この実施の形態では、５個の金属製の球体８ａ、８ｂ、８ｃ、８ｄ、８ｅは、ステンレス製で、直径の大きさが１３ｍｍ〜１７ｍｍの範囲の大きさの球体である。
【００３０】
また、５本の金属製の支持棒７ａ、７ｂ、７ｃ、７ｄ、７ｅは、ステンレス製で、直径の大きさが２．０ｍｍ〜４．０ｍｍの範囲の大きさである。
【００３１】
図３（ａ）は４個の金属製の球体８ａ、８ｂ、８ｃ、８ｄが配備されている実施形態を説明するものである。
【００３２】
支持体２の同一の支持面５上に４個の支持位置６ａ〜６ｄが同一の円周９上で、円周方向に互いの間に等間隔をあけて配置されている。支持位置６ａ〜６ｄにそれぞれ基端が固定されて立設されている金属製の支持棒７ａ〜７ｄは、それぞれ、同一の長手方向長さを有している。支持棒７ａ〜７ｄの先端にそれぞれ同一の直径を有する球体８ａ〜８ｄが取り付けられている。
【００３３】
金属製の支持棒７ａ〜７ｄを、それぞれ、支持位置６ａ〜６ｄに固定されている基端から、球体８ａ〜８ｄが取り付けられている先端に向かう方向で湾曲変形することにより、４個の球体８ａ〜８ｄは、図３（ａ）に図示するように、同一の円周１０上に配置される配置形式になる。
【００３４】
図４（ａ）は６個の金属製の球体８ａ、８ｂ、８ｃ、８ｄ、８ｅ、８ｆが配備されている実施形態を説明するものである。
【００３５】
支持体２の同一の支持面５上に６個の支持位置６ａ〜６ｆが同一の円周９上で、円周方向に互いの間に等間隔をあけて配置されている。支持位置６ａ〜６ｆにそれぞれ基端が固定されて立設されている金属製の支持棒７ａ〜７ｆは、それぞれ、同一の長手方向長さを有している。支持棒７ａ〜７ｆの先端にそれぞれ同一の直径を有する球体８ａ〜８ｆが取り付けられている。
【００３６】
金属製の支持棒７ａ〜７ｆを、それぞれ、支持位置６ａ〜６ｆに固定されている基端から、球体８ａ〜８ｆが取り付けられている先端に向かう方向で湾曲変形することにより、６個の球体８ａ〜８ｆは、図４（ａ）に図示するように、同一の円周１０上に配置される配置形式になる。
【００３７】
図４（ｂ）は７個の金属製の球体８ａ、８ｂ、８ｃ、８ｄ、８ｅ、８ｆ、８ｇが配備されている実施形態を説明するものである。
【００３８】
支持体２の同一の支持面５上に７個の支持位置６ａ〜６ｇが同一の円周９上で、円周方向に互いの間に等間隔をあけて配置されている。支持位置６ａ〜６ｇにそれぞれ基端が固定されて立設されている金属製の支持棒７ａ〜７ｇは、それぞれ、同一の長手方向長さを有している。支持棒７ａ〜７ｇの先端にそれぞれ同一の直径を有する球体８ａ〜８ｇが取り付けられている。
【００３９】
金属製の支持棒７ａ〜７ｇを、それぞれ、支持位置６ａ〜６ｇに固定されている基端から、球体８ａ〜８ｇが取り付けられている先端に向かう方向で湾曲変形することにより、７個の球体８ａ〜８ｇ、は、図４（ｂ）に図示するように、同一の円周１０上に配置される配置形式になる。
【００４０】
上述した本実施形態の施術器における複数の金属製の球体を、施術を受ける人の体に接触させて施術を行うことにより、良好な施術効果を発揮させることができる。
【００４１】
本願の発明者は、複数存在する球体の材質、形状、大きさ、この材質、形状、大きさに対応する隣接する球体同士の間の間隔、球体同士の間における配置形式・配置形態を所定のサイズ、構造、形態について種々の検討を加える中で、これらを調整することで、施術器による施術効果に変動が生じることを見出した。
【００４２】
そして、より良好な施術効果を発揮できる球体の材質、形状、大きさ、この材質、形状、大きさに対応する隣接する球体同士の間の間隔、球体同士の間における配置形式・配置形態を見出して本願発明を完成させたものである。
【００４３】
この実施形態の複数の球体の直径の大きさはそれぞれ同一である。
【００４４】
本願発明者の検討によれば、前記複数の球体はステンレス、等の金属製にすることが良好な施術効果を発揮させるという観点から好ましかった。
【００４５】
また、複数の球体の直径の大きさは、１３ｍｍ〜１７ｍｍの範囲内にしておくことが良好な施術効果を発揮させるという観点から好ましかった。
【００４６】
複数本の金属製の支持棒も、ステンレス製とし、直径の大きさが２．０ｍｍ〜４．０ｍｍの範囲の大きさにすることが望ましかった。
【００４７】
また、複数の球体は、それぞれ、支持体の同一の支持面上における同一の円周上で円周方向に互いの間に等間隔をあけて複数配置されている支持位置に基端が固定されて立設されているそれぞれ同一の長さを有する金属製の支持棒の先端に取り付けられていて、前記複数の金属製の支持棒がそれぞれ前記基端から前記先端に向かう方向で湾曲変形可能である構造にすることが望ましかった。
【００４８】
このようにすると、施術を受ける者の施術箇所、例えば、顔に、複数の球体を複数個同時に接触させ、顔面上でスライド移動させながら施術を行い、良好な施術効果を発揮させることができる。
【００４９】
例えば、施術を受ける者の顔のほうれい線（豊麗線）に沿って複数個の球体を密着させ、良好な施術を行うことができる
特に、前記複数の球体がそれぞれ前記基端から前記先端に向かう方向で湾曲変形されることにより、前記複数の球体が同一の円周上に配置されている形態にすると、良好な施術を行うことができる。
【００５０】
この実施の形態で説明した施術器（金属製の球体８ａ〜８ｅの直径：１５ｍｍ、金属製の支持棒７ａ〜７ｅの直径３ｍｍ）を用い、施術を受ける者の顔のほうれい線（豊麗線）に沿って複数個の球体８ａ〜８ｅを密着させた後、施術を受ける者の顔の上をスライドさせて施術を行った。
【００５１】
この施術を受けた人達からは、球体８ａ〜８ｅが顔表面に密着しながらスムーズに顔表面を移動して行くので、気持ちよかった、癒されたとの感想が寄せられた。
【００５２】
（低周波施術器の実施形態１）
前記で説明した施術器において、複数本の金属製の支持棒７ａ〜７ｅ及び、支持体２を介して、波形信号出力手段からの所定の波形信号が複数個の金属製の球体８ａ〜８ｅに印加される構成にした。
【００５３】
すなわち、低周波施術機器における波形信号出力手段からの所定の波形信号が、支持体２及び、複数本の金属製の支持棒７ａ〜７ｅを介して、低周波施術機器における導子電極の役割を果たす複数個の金属製の球体８ａ〜８ｅに印加される構成にした。
【００５４】
図１において全体を符号１で示しているこの実施形態の施術器１は、低周波施術機器における波形信号出力手段４からの所定の波形信号が、リード線３、支持体２及び、複数本の金属製の支持棒７ａ〜７ｅを介して、低周波施術機器における導子電極の役割を果たす複数個の金属製の球体８ａ〜８ｅに印加されるものである。
【００５５】
図１に図示している波形信号出力手段４は、従来公知の低周波施術機器における波形信号出力手段と同じく、図示していないが、電源スイッチ、出力調整ダイヤル、電源から電圧が供給されて所定の周波数の波形信号を出力する回路、当該回路による波形信号出力を制御する制御回路を備えている。これによって、波形信号出力手段４は、従来公知の低周波施術機器における波形信号出力手段と同じく、複数個の金属製の球体８ａ〜８ｅにおける一対の金属製球体ごとに１〜９９９Ｈｚの範囲の周波数の波形信号を印加する。
【００５６】
すなわち、人体に接触させられている複数の金属製球体８ａ〜８ｅにおける一対の金属製球体ごとに印加する波形信号の周波数を波形信号出力手段４が所定の範囲に調整することで、従来公知の低周波施術器と同じく、もみほぐし、等の人体に対する施術がこの実施形態の低周波施術器によって行われる。
【００５７】
この実施形態では、複数個の金属製の球体８ａ〜８ｅの中の所定の一対の導子電極に対して、波形信号出力手段４からリード線３、支持体２、複数本の金属製の支持棒７ａ〜７ｅを介して所定の波形信号が印加されることで従来公知の低周波施術器と同じく、もみほぐし、等の人体に対する施術が行われる。
【００５８】
例えば、図１、図３（ｂ）図示の実施形態では、５個の金属製の球体８ａ〜８ｅが採用されており、この中の金属製球体８ａに＋、金属製球体８ｂに−、金属製球体８ｄに＋、金属製球体８ｅに−が印加され、金属製球体８ｃは印加が行われないようになる。
【００５９】
図４（ｂ）図示の実施形態でも、奇数個の金属製の球体８ａ〜８ｇが採用されているが、この中の一個が印加がされない金属製球体で、残りの金属製球体の中で所定の一対の金属製球体に対して、波形信号出力手段４からリード線３を介して所定の波形信号が印加されることで従来公知の低周波施術器と同じく、もみほぐし、等の人体に対する施術が行われる。
【００６０】
図３（ａ）、図４（ａ）図示のように偶数個の金属製の球体が配備されている場合には、その中の所定の一対の金属製球体に対して、波形信号出力手段４からリード線３を介して所定の波形信号が印加されることで従来公知の低周波施術器と同じく、もみほぐし、等の人体に対する施術が行われる。
【００６１】
上述した本実施形態の低周波施術器における複数の金属製の球体を、施術を受ける人の体に接触させて施術を行うことにより、良好な施術効果を発揮させることができる。
【００６２】
発明者の検討によれば、この際に、前記複数の金属製の球体の人体への接触がジェルを介して行われるようにすると、より良好な施術効果を発揮させるという観点で有利であった。
【００６３】
低周波施術器を用いて施術を行う際、施術を受ける人体にジェルを塗布しておくことにより、低周波施術器における導子電極たる金属製球体の人体への接触が当該ジェルを介して行われるようにすることは、従来、行われることがあった。
【００６４】
本願発明者の検討によれば、この実施形態の低周波施術器を用いた施術において、この実施形態の低周波施術器における複数の金属製の球体の人体への接触がジェルを介して行われるようにすると、より良好な施術効果が発揮された。
【００６５】
本願の発明者は、導子電極として機能する複数の球体の材質、形状、大きさ、この材質、形状、大きさに対応する隣接する球体同士の間の間隔、球体同士の間における配置形式・配置形態について種々の検討を加える中で、これらを調整することで、低周波施術器による施術効果に変動が生じることを見出した。
【００６６】
そして、より良好な施術効果を発揮できる、複数の球体の材質、形状、大きさ、この材質、形状、大きさに対応する隣接する球体同士の間の間隔、球体同士の間における配置形式・配置形態を見出して本願発明を完成させたものである。
【００６７】
この実施形態において低周波施術器の導子電極として機能する複数の金属製の球体いずれも同一大きさの直径である。これによって、接触子の人体に接触する面がそれぞれ同一の曲率を有している球面状に形成されている施術器になっている。
【００６８】
本願発明者の検討によれば、低周波施術器の導子電極として機能する複数の金属製の球体は、ステンレス、等の金属製にすることが良好な施術効果を発揮させるという観点から好ましかった。
【００６９】
また、低周波施術器の導子電極として機能する複数の金属製の球体は、直径を１３ｍｍ〜１７ｍｍの範囲内の大きさにしておくことが良好な施術効果を発揮させるという観点から好ましかった。
【００７０】
複数本の金属製の支持棒も、ステンレス製とし、直径の大きさが２．０ｍｍ〜４．０ｍｍの範囲の大きさにすることが望ましかった。
【００７１】
また、低周波施術器の導子電極として機能する複数の金属製の球体は、それぞれ、支持体の同一の支持面上における同一の円周上で円周方向に互いの間に等間隔をあけて複数配置されている支持位置に基端が固定されて立設されているそれぞれ同一の長さを有する金属製の支持棒の先端に取り付けられていて、前記複数の金属製の支持棒がそれぞれ前記基端から前記先端に向かう方向で湾曲変形可能である構造にすることが望ましかった。
【００７２】
このようにすると、施術を受ける者の施術箇所、例えば、顔に、複数の金属製球体を同時に接触させ、顔面上でスライド移動させながら施術を行い、良好な施術効果を発揮させることができる。
【００７３】
特に、前記複数の金属製の支持棒がそれぞれ前記基端から前記先端に向かう方向で湾曲変形されることにより、前記複数の導子電極が同一の円周上に配置されている形態にすると、施術を受ける者の顔のほうれい線（豊麗線）に沿って複数個の金属製球体を密着させ、良好な施術を行うことができる。
【００７４】
図１図示の実施の形態の低周波施術器を用い、施術を受ける人の顔に金属製の球体８ａ〜８ｅを接触させて、以下の条件で施術を行った。
【００７５】
周波数連続波：０．５Ｈｚ〜１００Ｈｚ
周波数断続波：５Ｈ〜１００Ｈｚ
周波数疎密波：３Ｈｚ及び、２０Ｈｚ
出力電圧：０〜４０ＶＰ−Ｐ以上
出力極性：ＤＣ６Ｖ
なお、低周波施術機器は金属製の球体８ａ〜８ｅが図３（ｂ）図示のように、金属製の支持棒７ａ〜７ｅがそれぞれ基端６ａ〜６ｅから先端に向かう方向で湾曲変形されることにより、同一の円周１０上に配置されている形態になっている。そこで、施術を受ける者の顔のほうれい線（豊麗線）に沿って複数個の金属製の球体を密着させた後、施術を受ける者の顔の上をスライドさせて施術を行った。
【００７６】
この施術を受けた人達からは、金属製の球体８ａ〜８ｅが顔表面に密着しながらスムーズに顔表面を移動して行くので、電流による刺激が気持ちよかった、癒されたとの感想が寄せられた。
【００７７】
（低周波施術器の実施形態２）
図５は、施術器の一例としての低周波施術器の一例を表すものである。
【００７８】
この実施形態の施術器は、図５図示のように、支持体２５と支持体２５に支持されて先端が人体に接触する複数の接触子とを備えている。そして、複数の接触子の人体に接触する面がそれぞれ同一の曲率を有している球面状に形成されている。
【００７９】
図５図示の実施形態では、接触子は、支持体２５に立設されている複数本の金属製の支持ロッド２３、２４と、複数本の金属製の支持ロッド２３、２４の先端にそれぞれ取り付けられている２個の金属製の球体２１、２２とから構成されている。
【００８０】
このような施術器において、複数本の金属製の支持棒２３、２４及び、支持体２５を介して、波形信号出力手段２７からの所定の波形信号が複数個の金属製の球体２１、２２に印加される構成にした。
【００８１】
すなわち、低周波施術機器における波形信号出力手段２７からの所定の波形信号が、支持体２５及び、複数本の金属製の支持棒２３、２４を介して、低周波施術機器における導子電極の役割を果たす複数個の金属製の球体２１、２２に印加される構成にした。
【００８２】
図５図示のこの実施形態の施術器は、低周波施術機器における波形信号出力手段２７からの所定の波形信号が、リード線２６、支持体２５及び、複数本の金属製の支持棒２３、２４を介して、低周波施術機器における導子電極の役割を果たす複数個の金属製の球体２１、２２に印加されるものである。
【００８３】
波形信号出力手段２７は、従来公知の低周波施術機器における波形信号出力手段と同じく、図示していないが、電源スイッチ、出力調整ダイヤル、電源から電圧が供給されて所定の周波数の波形信号を出力する回路、当該回路による波形信号出力を制御する制御回路を備えている。これによって、波形信号出力手段２７は、従来公知の低周波施術機器における波形信号出力手段と同じく、導子電極として機能する一対の金属製の球体２１、２２に対して１〜９９９Ｈｚの範囲の周波数の波形信号を印加する。
【００８４】
すなわち、人体に接触させられている一対の金属製の球体２１、２２に対して印加する波形信号の周波数を波形信号出力手段２７が所定の範囲に調整することで、従来公知の低周波施術機器と同じく、もみほぐし、等の人体に対する施術が行われる。
【００８５】
本願の発明者は、一対の導子電極として機能する一対の球体２１、２２の材質、形状、大きさ、この材質、形状、大きさに対応する隣接する球体２１、２２の間の間隔、球体２１、２２の間における配置形式・配置形態について種々の検討を加える中で、これらを調整することで、低周波施術器による施術効果に変動が生じることを見出した。
【００８６】
そして、より良好な施術効果を発揮できる、一対の球体２１、２２の材質、形状、大きさ、この材質、形状、大きさに対応する球体２１、２２の間の間隔、球体２１、２２の間における配置形式・配置形態を見出して本願発明を完成させたものである。
【００８７】
図５図示のように、この実施形態の一対の金属製の球体２１、２２はいずれも球体で、その直径の大きさＲは同一である。
【００８８】
本願発明者の検討によれば、低周波施術器における導子電極の役割を果たす一対の金属製の球体２１、２２はステンレス、等の金属製にすることが良好な施術効果を発揮させるという観点から好ましかった。
【００８９】
また、低周波施術器における導子電極の役割を果たす一対の金属製の球体２１、２２の直径Ｒの大きさは、２４ｍｍ〜２６ｍｍの範囲内にしておくことが良好な施術効果を発揮させるという観点から好ましかった。
【００９０】
また、同一の直径Ｒを有する球体からなる一対の金属製の球体２１、２２の互いの外周面同士の間の最も近接している間隔Ｌが所定の大きさに固定されている状態で施術を受ける人体に対する一対の金属製の球体２１、２２の接触が行われるように一対の金属製の球体２１、２２が支持されていることが良好な施術効果を発揮させるという観点から好ましかった。
【００９１】
本願発明者の検討によれば、同一の直径Ｒを有する球体からなる一対の金属製の球体２１、２２の互いの外周面同士の間の最も近接している間隔Ｌは、前記のようにＲ＝２４ｍｍ〜２６ｍｍの範囲内であるときに、２１ｍｍ〜２３ｍｍの範囲内における所定の大きさに固定している状態で施術を受ける人体に対する一対の金属製の球体２１、２２の接触が行われるように一対の金属製の球体２１、２２が支持されている構造が、良好な施術効果を発揮させるという観点から好ましかった。
【００９２】
上述した本実施形態の低周波施術機器における前記一対の金属製の球体２１、２２を、施術を受ける人の体に接触させて施術を行うことにより、良好な施術効果を発揮させることができる。
【００９３】
発明者の検討によれば、この際に、一対の金属製の球体２１、２２の人体への接触がジェルを介して行われるようにすると、より良好な施術効果を発揮させるという観点で有利であった。
【００９４】
低周波施術機器を用いて施術を行う際、施術を受ける人体にジェルを塗布しておくことにより、低周波施術機器における一対の導子電極の人体への接触が当該ジェルを介して行われるようにすることは、従来、行われることがあった。
【００９５】
本願発明者の検討によれば、この実施形態の低周波施術機器を用いた施術において、この実施形態の低周波施術機器における一対の導子電極である一対の金属製の球体２１、２２の人体への接触がジェルを介して行われるようにすると、より良好な施術効果が発揮された。
【００９６】
図１図示の一対の金属製の球体２１、２２をステンレス製で直径Ｒ＝２５ｍｍの球体とし、支持体２５から二股に分かれて伸びる支持ロッド２３、２４の先端にそれぞれ金属製の球体２１、２２を固定し、金属製の球体２１、２２の互いの外周面同士の間の最も近接している間隔Ｌが２２ｍｍで固定されている構造にした。
【００９７】
支持体２５はリード線２６を介して波形信号出力手段２７に接続されており、リード線２６を介して一対の金属製の球体２１、２２に波形信号出力手段２７から所定の波形信号が印加されるようになっている。
【００９８】
一対の金属製の球体２１、２２の互いの外周面同士の間の最も近接している間隔Ｌが２２ｍｍで固定されている構造の図５図示の低周波施術器を用い、Ｌが２２ｍｍで固定されている状態で施術を受ける人の体に一対の金属製の球体２１、２２を接触させて、以下の条件で施術を行った。
【００９９】
周波数連続波：０．５Ｈｚ〜１００Ｈｚ
周波数断続波：５Ｈ〜１００Ｈｚ
周波数疎密波：３Ｈｚ及び、２０Ｈｚ
出力電圧：０〜４０ＶＰ−Ｐ以上
出力極性：ＤＣ６Ｖ
この施術を受けた人達からは、首、肩、手脚、背中など全身のこりのほぐしが促され、気持ちよかった、癒されたとの感想が寄せられた。特に、手もみのマッサージ、等で施術を受けていた時とは異なり、痛みを感じることなくこりがほぐされたとの感想を寄せる人が多かった。また、顔や身体の深部などにおけるこりのほぐしにも効果があるとの感想を寄せた人や、筋肉の柔軟性の回復がうながされたとの感想を寄せた人もいた。
【０１００】
マッサージ師などが行うマッサージ、等の施術によってこりをほぐしてもらおうとすると、あまりにこりが激しいため、マッサージ師の負担が大きく、一方、マッサージ、等の施術を受けている人は、マッサージ自体による痛みを感じざるを得ないような強いこりの状態の時でも、この実施例の低周波施術器での施術を受けると痛みを感じることなくこりがほぐされたという評価も得た。
【０１０１】
この実施例の低周波施術器での施術は一対の金属製の球体２１、２２を施術を受ける人の施術箇所に軽く接触させて移動させているだけでよいので、施術を行う側の負荷は、マッサージ師の負荷とは比較にならない軽いもので済む。
【０１０２】
マッサージ師などが行うマッサージ、等の施術を受ける場合にはマッサージ師の手ではマッサージを行うことが難しい人体の箇所があるが、この実施例の低周波施術器を用いた施術は、一対の金属製の球体２１、２２を、施術を受ける人の施術箇所に軽く接触させて移動させるだけであるので、人体の内部の深い箇所への施術も可能になる。
【０１０３】
いずれにしても、手もみのマッサージ、等の施術を受けていた時とは異なり、痛みを感じることなくこりがほぐされた、気持ちよかった、癒されたとの感想を寄せる人が多く、手もみのマッサージ、等での施術に比較して格段に良好な施術効果が発揮されていることを、実際に施術を受けた人の感想から確認できた。
【０１０４】
引き続き、前記で説明した低周波施術器を用い、施術を受ける人体にジェルを塗布しておくことにより、一対の金属製の球体２１、２２の人体への接触が当該ジェルを介して行われるようにして施術を行った。
【０１０５】
低周波施術器を用いて施術を行う際、施術を受ける人体にジェルを塗布しておくことにより、低周波施術器における一対の導子電極の人体への接触が当該ジェルを介して行われるようにすることは、従来から、行われていた。
【０１０６】
この実施例でも、施術を受ける人体にジェルを塗布しておくことにより、低周波施術機器における一対の導子電極として機能する一対の金属製の球体２１、２２の人体への接触が当該ジェルを介して行われるようにしたものである。
【０１０７】
上述したように、ジェルを使用していない場合でも、施術を受けた人達からは、手もみのマッサージ、等の施術を受けていた時とは異なり、痛みを感じることなくこりがほぐされた、気持ちよかった、癒された等々の感想が寄せられ、手もみのマッサージ、等での施術に比較して格段に良好な施術効果が発揮されていることを確認できたが、ジェルを併用し、一対の導子電極１、２の人体への接触が当該ジェルを介して行われるようにして施術を行ったところ、更に、良好であったという感想が、施術を受けた人たちから寄せられた。
【０１０８】
（低周波施術器の実施形態３）
図６〜図８は、施術器の一例としての低周波施術器の一例を表すものである。
【０１０９】
この実施形態の施術器は、図６〜図８図示のように、支持体３２と支持体３２に支持されて先端が人体に接触する複数の接触子とを備えている。そして、複数の接触子の人体に接触する面がそれぞれ同一の曲率を有している球面状に形成されている。
【０１１０】
図６〜図８図示の実施形態では、接触子は、それぞれ、人体に接触する面（図６、図７（ｂ）、図８（ｂ）における上側の面）の曲率が１／１３ｍｍ〜１／１２ｍｍの範囲内である金属製の棒状体３１ａ、３１ｂ、３１ｃ、３１ｄ（図６）、３１ａ、３１ｂ、３１ｃ、３１ｄ、３１ｅ、３１ｆ、３１ｇ、３１ｈ（図８）で構成されている。
【０１１１】
このような施術器において、支持体３２を介して、波形信号出力手段３４からの所定の波形信号が接触子を構成する複数本の金属製の棒状体３１ａ、等に印加される構成にした。
【０１１２】
すなわち、低周波施術機器における波形信号出力手段３４からの所定の波形信号が、支持体３２を介して、低周波施術機器における導子電極の役割を果たす複数本の金属製の棒状体３１ａ、等に印加される構成にした。
【０１１３】
図６〜図８図示のこの実施形態の施術器は、低周波施術機器における波形信号出力手段３４からの所定の波形信号が、リード線３３及び、支持体３２を介して、低周波施術機器における導子電極の役割を果たす複数個の金属製の棒状体３１ａ、等に印加されるものである。
【０１１４】
波形信号出力手段３４は、従来公知の低周波施術機器における波形信号出力手段と同じく、図示していないが、電源スイッチ、出力調整ダイヤル、電源から電圧が供給されて所定の周波数の波形信号を出力する回路、当該回路による波形信号出力を制御する制御回路を備えている。これによって、波形信号出力手段２７は、従来公知の低周波施術機器における波形信号出力手段と同じく、導子電極として機能する複数個の金属製の棒状体３１ａ、等の中の所定の一対の棒状体３１ａ、等に対して１〜９９９Ｈｚの範囲の周波数の波形信号を印加する。
【０１１５】
すなわち、人体に接触させられている棒状体３１ａ、等の中の所定の一対の棒状体３１ａ、等に対して印加する波形信号の周波数を波形信号出力手段３４が所定の範囲に調整することで、従来公知の低周波施術機器と同じく、もみほぐし、等の人体に対する施術が行われる。
【０１１６】
図６〜図８図示の実施形態における複数の金属製の棒状体３１ａ、３１ｂ、３１ｃ、３１ｄ（図６）、３１ａ、３１ｂ、３１ｃ、３１ｄ、３１ｅ、３１ｆ、３１ｇ、３１ｈ（図８）は、いずれも、人体に接触する先端側（図６における上側、図８（ｂ）における上側）が１／１３ｍｍ〜１／１２ｍｍの範囲内における同一の大きさの曲率を有している球面状に形成されている棒状体である。
【０１１７】
図６図示の実施形態は、直方体状の支持体３２の上に４本の金属製の棒状体３１ａ〜３１ｄが、各棒状体の先端側球面の頂点と隣接する他の棒状体の先端側球面の頂点との間にＬ＝４５ｍｍ〜４９ｍｍの範囲内における同一の大きさの間隔を空けて、図７図示のように、直線状に一列に配置されている低周波施術器の一例を表すものである。
【０１１８】
図６図示の実施形態では４本の金属製の棒状体３１ａ〜３１ｄが直線状に一列に配置されているが、複数の金属製の棒状体３１ａ〜３１ｄの中の所定の一対の棒状体に対して、波形信号出力手段３４からリード線３３を介して所定の波形信号が印加されることで従来公知の低周波施術機器と同じく、もみほぐし、等の人体に対する施術が行われるものであれば、金属製の棒状体３１ａ〜３１ｄの数に限定はない。
【０１１９】
図８図示の実施形態は、支持体３２の上に金属製の棒状体３１ａ、３１ｂ、３１ｃ、３１ｄ、３１ｅ、３１ｆ、３１ｇ、３１ｈが、各棒状体の先端側球面の頂点を、中心点３２ａを中心とする所定の径の円周上に円周方向で隣接する他の棒状体の先端側球面の頂点との間に等しい間隔を空け、中心点３２ａに対して一の棒状体の先端側球面の頂点と、他の棒状体の先端側球面の頂点とが直径対称的になるように配置されている低周波施術機器の一例を表すものである。
【０１２０】
図８図示の実施形態では金属製の棒状体３１ａ〜３１ｈのそれぞれは、中心３２ａ  を中心として、次のように直径対称的に配置されている。
【０１２１】
棒状体３１ａの先端側球面の頂点と、棒状体３１ｅの先端側球面の頂点とが中心３２ａを中心として直径対称的に配置されている。
【０１２２】
棒状体３１ｂの先端側球面の頂点と、棒状体３１ｆの先端側球面の頂点とが中心３２ａを中心として直径対称的に配置されている。
【０１２３】
棒状体３１ｃの先端側球面の頂点と、棒状体３１ｇの先端側球面の頂点とが中心３２ａを中心として直径対称的に配置されている。
【０１２４】
棒状体３１ｄの先端側球面の頂点と、棒状体３１ｈの先端側球面の頂点とが中心３２ａを中心として直径対称的に配置されている。
【０１２５】
上記のように金属製の棒状体３１ａ〜３１ｈのそれぞれが、中心３２ａ  を中心として直径対称的に配置されていることから、各棒状体３１ａ〜３１ｈの先端側球面の頂点は、中心点３２ａを中心とする所定の径の円周上に、円周方向で隣接する他の棒状体３１ａ〜３１ｈの先端側球面の頂点との間に等しい間隔を空けて配置されている形態になっている。
【０１２６】
上述したように、低周波施術機器における導子電極としての役割をはたす各棒状体３１ａ〜３１ｈは、いずれも、人体に接触する先端側（図６における上側、図８（ｂ）における）上側）が、１／１３ｍｍ〜１／１２ｍｍの範囲内における同一の大きさの曲率を有している球面状に形成されている棒状体である。
【０１２７】
図６、図８図示の実施形態では、低周波施術機器における導子電極としての役割をはたす各棒状体３１ａ〜３１ｈは、いずれも、金属製の円柱状体としている。
【０１２８】
図６図示の実施形態において、円柱状体からなる金属製の棒状体３１ａ〜３１ｄの直径Ｒは、いずれも、Ｒ＝２４ｍｍ〜２６ｍｍの範囲内における同一の大きさにしている。
【０１２９】
また、図８図示の実施形態において、円柱状体からなる金属製の棒状体３１１ａ〜３１ｈの直径Ｒは、いずれも、Ｒ＝２４ｍｍ〜２６ｍｍの範囲内における同一の大きさにしている。
【０１３０】
本願の発明者は、低周波施術機器における導子電極としての役割をはたす棒状体３１ａ〜３１ｈの材質、形状、大きさ、この材質、形状、大きさに対応する隣接する棒状体３１ａ〜３１ｈ同士の間の間隔、隣接する棒状体３１ａ〜３１ｈ同士の間における配置形式・配置形態について種々の検討を加える中で、これらを調整することで、低周波施術器による施術効果に変動が生じることを見出した。
【０１３１】
そして、より良好な施術効果を発揮できる、低周波施術機器における導子電極としての役割をはたす棒状体３１ａ〜３１ｈの材質、形状、大きさ、この材質、形状、大きさに対応する隣接する棒状体３１ａ〜３１ｈ同士の間の間隔、隣接する棒状体３１ａ〜３１ｈ同士の間における配置形式・配置形態を見出して本願発明を完成させたものである。
【０１３２】
図６、図７に例示している実施形態の低周波施術器は、施術を行う施術者が手で握る握り部となる直方体状の支持体３２の上に、低周波施術機器における導子電極としての役割をはたす棒状体３１ａ〜３１ｄが配備されているものである。
【０１３３】
棒状体３１ａ〜３１ｄはいずれも金属製の円柱状体である。
【０１３４】
棒状体３１ａ〜３１ｄは、いずれも、人体に接触する先端側（図６における上側）が１／１３ｍｍ〜１／１２ｍｍの範囲内における同一の大きさの曲率を有している球面状に形成されている棒状体である。
【０１３５】
すなわち、棒状体３１ａの先端側に形成されている球面の曲率と、棒状体３１ｂの先端側に形成されている球面の曲率と、棒状体３１ｃの先端側に形成されている球面の曲率と、棒状体３１ｄの先端側に形成されている球面の曲率とは同一であり、その同一の曲率の大きさは１／１３ｍｍ〜１／１２ｍｍの範囲に入っている。
【０１３６】
また、各棒状体３１ａ〜３１ｄの先端側球面の頂点と隣接する他の棒状体３１ａ〜３１ｄの先端側球面の頂点との間にＬ＝４５ｍｍ〜４９ｍｍの範囲内における同一の大きさの間隔を空けて、図７図示のように、直線状に一列に配置されている。
【０１３７】
すなわち、棒状体３１ａの先端側球面の頂点と隣接する棒状体３１ｂの先端側球面の頂点との間の間隔：Ｌ＝棒状体３１ｂの先端側球面の頂点と隣接する棒状体３１ｃの先端側球面の頂点との間の間隔：Ｌ＝棒状体３１ｃの先端側球面の頂点と隣接する棒状体３１ｄの先端側球面の頂点との間の間隔：Ｌであり、Ｌは４５ｍｍ〜４９ｍｍの範囲内の大きさになっている。
【０１３８】
本願発明者の検討によれば、低周波施術機器における導子電極としての役割をはたす棒状体３１ａ〜３１ｄはステンレス、等の金属製にすることが良好な施術効果を発揮させるという観点から好ましかった。
【０１３９】
また、棒状体３１ａ〜３１ｄの施術を受ける人体に接触する先端側（図６における上側）は、１／１３ｍｍ〜１／１２ｍｍの範囲内における同一の大きさの曲率を有している球面状にしておくことが良好な施術効果を発揮させるという観点から好ましかった。
【０１４０】
また、先端に同一の曲率半径の球面を有している棒状体３１ａ〜３１ｄは、各棒状体３１ａ〜３１ｄの先端側球面の頂点と隣接する他の棒状体３１ａ〜３１ｄの先端側球面の頂点との間にＬ＝４５ｍｍ〜４９ｍｍの範囲内における同一の大きさの間隔を空けて、図７図示のように、直線状に一列に配置されていることが、良好な施術効果を発揮させるという観点から好ましかった。
【０１４１】
本願発明者の検討によれば、先端側に、１／１３ｍｍ〜１／１２ｍｍの範囲内における同一の大きさの曲率の球面を有している複数の棒状体３１ａ〜３１ｄが、各棒状体３１ａ〜３１ｄの先端側球面の頂点と隣接する他の棒状体３１ａ〜３１ｄの先端側球面の頂点との間にＬ＝４５ｍｍ〜４９ｍｍの範囲内における同一の大きさの間隔を空けて、図７図示のように、直線状に一列に配置されていることが、良好な施術効果を発揮させるという観点から好ましかった。
【０１４２】
上述した本実施形態の低周波施術器における棒状体３１ａ〜３１ｄを、施術を受ける人の体に接触させて施術を行うことにより、良好な施術効果を発揮させることができる。
【０１４３】
発明者の検討によれば、この際に、棒状体３１ａ〜３１ｄの前記人体への接触がジェルを介して行われるようにすると、より良好な施術効果を発揮させるという観点で有利であった。
【０１４４】
低周波施術器を用いて施術を行う際、施術を受ける人体にジェルを塗布しておくことにより、低周波施術器における複数の導子電極の人体への接触が当該ジェルを介して行われるようにすることは、従来、行われることがあった。
【０１４５】
本願発明者の検討によれば、この実施形態の低周波施術機器を用いた施術において、この実施形態の低周波施術器における複数の棒状体３１ａ〜３１ｄの人体への接触がジェルを介して行われるようにすると、より良好な施術効果が発揮された。
【０１４６】
この実施形態において、低周波施術器における複数の導子電極の役割をはたす金属製の棒状体３１ａ〜３１ｄは、上述し、図６、図７（ｂ）に示したように、支持体３２の上に先端側を突出させて配備されている。
【０１４７】
この複数の金属製の棒状体３１ａ〜３１ｄの中には、先端側が接触している人体から支持体３２の方向に向かう力（図７（ｂ）において下方向に向かう力）に応じて支持体３２から先端側が突出する高さ（Ｈ）が変動可能である構造にしておくことができる。
【０１４８】
例えば、複数の棒状体３１ａ〜３１ｄの中の数本が、先端側が接触している人体から支持体３２の方向に向かう力（図７（ｂ）において下方向に向かう力）に応じて支持体３２中に没入し、支持体３２から先端側が突出する高さ（Ｈ）が変動可能になっているものである。
【０１４９】
例えば、このように支持体３２から先端側が突出する高さ（Ｈ）が変動可能になっている棒状体３１ａ〜３１ｄについては、基端側や、基端を支えている基台部分に弾性構造体が配備されている構造にすることができる。
【０１５０】
なお、複数の棒状体３１ａ〜３１ｄのすべてを、上述したように、先端側が接触している人体から支持体３２の方向に向かう力（図７（ｂ）において下方向に向かう力）に応じて支持体３２から先端側が突出する高さ（Ｈ）が変動可能になっているものにすることもできる。
【０１５１】
図８に例示している実施形態の低周波施術器は、施術を行う施術者が手で握る握り部３２ｂを備えている支持体３２の上に、低周波施術器における複数の導子電極の役割をはたす金属製の棒状体３１ａ〜３１ｈが配備されているものである。
【０１５２】
棒状体３１ａ〜３１ｈはいずれも金属製の円柱状体である。
【０１５３】
棒状体３１ａ〜３１ｈは、いずれも、人体に接触する先端側（図８（ｂ）における上側）が１／１３ｍｍ〜１／１２ｍｍの範囲内における同一の大きさの曲率を有している球面状に形成されている棒状体である。
【０１５４】
すなわち、棒状体３１ａの先端側に形成されている球面の曲率と、棒状体３１ｂの先端側に形成されている球面の曲率と、棒状体３１ｃの先端側に形成されている球面の曲率と、棒状体３１ｄの先端側に形成されている球面の曲率と、棒状体３１ｅの先端側に形成されている球面の曲率と、棒状体３１ｆの先端側に形成されている球面の曲率と、棒状体３１ｇの先端側に形成されている球面の曲率と、棒状体３１ｈの先端側に形成されている球面の曲率とは同一であり、その同一の曲率の大きさは１／１３ｍｍ〜１／１２ｍｍの範囲に入っている。
【０１５５】
また、支持体３２の上に配置される棒状の８本の棒状体３１ａ〜３１ｈは、中心点３２ａに対して一の棒状体の先端側球面の頂点と、他の棒状体の先端側球面の頂点とが直径対称的になるように配置されている。
【０１５６】
すなわち、棒状体３１ａの先端側球面の頂点と、棒状体３１ｅの先端側球面の頂点とが中心３２ａを中心として直径対称的に配置されている。
【０１５７】
棒状体３１ｂの先端側球面の頂点と、棒状体３１ｆの先端側球面の頂点とが中心３２ａを中心として直径対称的に配置されている。
【０１５８】
棒状体３１ｃの先端側球面の頂点と、棒状体３１ｇの先端側球面の頂点とが中心３２ａを中心として直径対称的に配置されている。
【０１５９】
棒状体３１ｄの先端側球面の頂点と、棒状体３１ｈの先端側球面の頂点とが中心３２ａを中心として直径対称的に配置されている。
【０１６０】
また、各棒状体３１ａ〜３１ｈが、中心３２ａを中心として直径対称的に配置されており、更に、各棒状体３１ａ〜３１ｈの先端側球面の頂点は、中心点３２ａを中心とする所定の径の円周上に、円周方向で隣接する他の棒状体３１ａ〜３１ｈの先端側球面の頂点との間に等しい間隔を空けて配置されている形態になっている。
【０１６１】
そこで、棒状体３１ａの先端側球面の頂点と、棒状体３１ｅの先端側球面の頂点とは中心３２ａを中心として直線状に一列に配置されていることになる。
【０１６２】
同様に、棒状体３１ｂの先端側球面の頂点と、棒状体３１ｆの先端側球面の頂点とは中心３２ａを中心として直線状に一列に配置されていることになる。
【０１６３】
棒状体３１ｃの先端側球面の頂点と、棒状体３１ｇの先端側球面の頂点とも中心３２ａを中心として直線状に一列に配置されていることになる。
【０１６４】
棒状体３１ｄの先端側球面の頂点と、棒状体３１ｈの先端側球面の頂点とも中心３２ａを中心として直線状に一列に配置されていることになる。
【０１６５】
なお、この実施形態では、８個の棒状体３１ａ〜３１ｈを採用しているが同様の配置形態であれば、４個、１６個の配置形態にすることもできる。
【０１６６】
本願発明者の検討によれば、低周波施術器における複数の導子電極の役割をはたす金属製の棒状体３１ａ〜３１ｈはステンレス、等の金属製にすることが良好な施術効果を発揮させるという観点から好ましかった。
【０１６７】
また、棒状体３１ａ〜３１ｈの施術を受ける人体に接触する先端側（図８（ｂ）における上側）は、１／１３ｍｍ〜１／１２ｍｍの範囲内における同一の大きさの曲率を有している球面状にしておくことが良好な施術効果を発揮させるという観点から好ましかった。
【０１６８】
本願発明者の検討によれば、先端側に、１／１３ｍｍ〜１／１２ｍｍの範囲内における同一の大きさの曲率の球面を有している複数の棒状体３１ａ〜３１ｈが、中心点３２ａに対して一の棒状体の先端側球面の頂点と、他の棒状体の先端側球面の頂点とが直径対称的になるように配置され、各棒状体３１ａ〜３１ｈの先端側球面の頂点が、中心点３２ａを中心とする所定の径の円周上に、円周方向で隣接する他の棒状体３１ａ〜３１ｈの先端側球面の頂点との間に等しい間隔を空けて配置されている形態になっていることが、良好な施術効果を発揮させるという観点から好ましかった。
【０１６９】
上述した本実施形態の低周波施術器における複数の棒状体３１ａ〜３１ｈの先端側を、施術を受ける人の体に接触させて施術を行うことにより、良好な施術効果を発揮させることができる。
【０１７０】
発明者の検討によれば、この際に、複数の棒状体３１ａ〜３１ｈの人体への接触がジェルを介して行われるようにすると、より良好な施術効果を発揮させるという観点で有利であった。
【０１７１】
低周波施術器を用いて施術を行う際、施術を受ける人体にジェルを塗布しておくことにより、低周波施術器における複数の導子電極の人体への接触が当該ジェルを介して行われるようにすることは、従来、行われることがあった。
【０１７２】
本願発明者の検討によれば、この実施形態の低周波施術器を用いた施術において、この実施形態の低周波施術器における複数の棒状体３１ａ〜３１ｈの人体への接触がジェルを介して行われるようにすると、より良好な施術効果が発揮された。
【０１７３】
この実施形態において、低周波施術器における複数の導子電極の役割をはたす金属製の棒状体３１ａ〜３１ｈは、上述し、図８（ｂ）に示したように、支持体３２の上に先端側を突出させて配備されている。
【０１７４】
この複数の棒状体３１ａ〜３１ｈの中には、先端側が接触している人体から支持体３２の方向に向かう力（図８（ｂ）において下方向に向かう力）に応じて支持体３２から先端側が突出する高さ（Ｈ）が変動可能である構造にしておくことができる。
【０１７５】
例えば、複数の棒状体３１ａ〜３１ｈの中の数本が、先端側が接触している人体から支持体３２の方向に向かう力（図８（ｂ）において下方向に向かう力）に応じて支持体３２中に没入し、支持体３２から先端側が突出する高さ（Ｈ）が変動可能になっているものである。
【０１７６】
例えば、このように支持体３２から先端側が突出する高さ（Ｈ）が変動可能になっている棒状体３１ａ〜３１ｈについては、基端側や、基端を支えている基台部分に弾性構造が配備されている構造にすることができる。
【０１７７】
なお、複数の棒状体３１ａ〜３１ｈのすべてを、上述したように、先端側が接触している人体から支持体３２の方向に向かう力（図８（ｂ）において下方向に向かう力）に応じて支持体３２から先端側が突出する高さ（Ｈ）が変動可能になっているものにすることもできる。
【０１７８】
図６、図７図示の低周波施術器における棒状体３１ａ〜３１ｄをステンレス製で直径Ｒ＝２５ｍｍの円柱体、先端側（図７（ｂ）の上側）の球面の曲率を２／２５とした。
【０１７９】
また、隣接する棒状体３１ａ〜３１ｄの先端側球面の頂点同士の間の間隔：Ｌ＝４７ｍｍの構造にし、支持体３２から棒状体３１ａ〜３１ｄの先端側頂点までの高さＨ＝５０ｍｍとした。
【０１８０】
支持体３２はリード線３３を介して波形信号出力手段３４に接続されており、リード線３３を介して棒状体３１ａ〜３１ｄにおける一対の棒状体に波形信号出力手段３４から所定の波形信号が印加されるようになっている。例えば、棒状体３１ａと３１ｄあるいは、棒状体３１ｂと３１ｃ、あるいは、棒状体３１ａと３１ｄ及び、棒状体３１ｂと３１ｃとに、波形信号出力手段３４から所定の波形信号が印加される。
【０１８１】
この図６、図７図示の実施の形態の低周波施術器を用い、施術を受ける人の体に棒状体３１ａ〜３１ｄを接触させて、以下の条件で施術を行った。
【０１８２】
周波数連続波：０．５Ｈｚ〜１００Ｈｚ
周波数断続波：５Ｈ〜１００Ｈｚ
周波数疎密波：３Ｈｚ及び、２０Ｈｚ
出力電圧：０〜４０ＶＰ−Ｐ以上
出力極性：ＤＣ６Ｖ
なお、低周波施術器は棒状体３１ａ〜３１ｄが直線状に並んでいる方向に、及び、これに直交する方向で、人体に接触させながら移動させた。
【０１８３】
この施術を受けた人達からは、首、肩、手脚、背中など全身のこりのほぐしが促され、気持ちよかった、癒されたとの感想が寄せられた。特に、手もみのマッサージ、等で施術を受けていた時とは異なり、痛みを感じることなくこりがほぐされたとの感想を寄せる人が多かった。また、顔や身体の深部などにおけるこりのほぐしにも効果があるとの感想を寄せた人や、筋肉の柔軟性の回復がうながされたとの感想を寄せた人もいた。
【０１８４】
マッサージ師などが行うマッサージ、等の施術によってこりをほぐしてもらおうとすると、あまりにこりが激しいため、マッサージ師の負担が大きく、一方、マッサージ、等の施術を受けている人は、マッサージ自体による痛みを感じざるを得ないような強いこりの状態の時でも、この実施例の低周波施術器での施術を受けると痛みを感じることなくこりがほぐされたという評価も得た。
【０１８５】
この実施例の低周波施術器での施術は複数の棒状体３１ａ〜３１ｄを、施術を受ける人の施術箇所に軽く接触させて移動させているだけでよいので、施術を行う側の負荷は、マッサージ師の負荷とは比較にならない軽いもので済む。
【０１８６】
マッサージ師などが行うマッサージ、等の施術を受ける場合にはマッサージ師の手ではマッサージを行うことが難しい人体の箇所があるが、この実施例の低周波施術器を用いた施術は、複数の棒状体３１ａ〜３１ｄを、施術を受ける人の施術箇所に軽く接触させて移動させるだけであるので、人体の内部の深い箇所への施術も可能になる。
【０１８７】
いずれにしても、手もみのマッサージ、等の施術を受けていた時とは異なり、痛みを感じることなくこりがほぐされた、気持ちよかった、癒されたとの感想を寄せる人が多く、手もみのマッサージ、等での施術に比較して格段に良好な施術効果が発揮されていることを、実際に施術を受けた人の感想から確認できた。
【０１８８】
引き続き、前記で説明した低周波施術器を用い、施術を受ける人体にジェルを塗布しておくことにより、複数の棒状体３１ａ〜３１ｄの人体への接触が当該ジェルを介して行われるようにして施術を行った。
【０１８９】
低周波施術器を用いて施術を行う際、施術を受ける人体にジェルを塗布しておくことにより、低周波施術器における複数の導子電極の人体への接触が当該ジェルを介して行われるようにすることは、従来から、行われていた。
【０１９０】
この実施例でも、施術を受ける人体にジェルを塗布しておくことにより、低周波施術器における複数の導子電極として機能する棒状体３１ａ〜３１ｄの人体への接触が当該ジェルを介して行われるようにしたものである。
【０１９１】
上述したように、ジェルを使用していない場合でも、施術を受けた人達からは、手もみのマッサージ、等の施術を受けていた時とは異なり、痛みを感じることなくこりがほぐされた、気持ちよかった、癒された等々の感想が寄せられ、手もみのマッサージ、等での施術に比較して格段に良好な施術効果が発揮されていることを確認できたが、ジェルを併用し、複数の棒状体３１ａ〜３１ｄの人体への接触が当該ジェルを介して行われるようにして施術を行ったところ、更に、良好であったという感想が、施術を受けた人たちから寄せられた。
【０１９２】
図８図示の低周波施術器における棒状体３１ａ〜３１ｈをステンレス製で直径Ｒ＝２５ｍｍの円柱体で、先端側の球面の曲率を２／２５とした。
【０１９３】
また、中心３２ａを中心にして直径対称的に配置される棒状体３１ａの先端側球面の頂点と、棒状体３１ｅの先端側球面の頂点とを通る、中心３２ａを中心とする円周の直径を１５０ｍｍとした。
【０１９４】
支持体３２から棒状体３１ａ〜３１ｈの先端側頂点までの高さＨ＝５０ｍｍとした。
【０１９５】
支持体３２はリード線３３を介して波形信号出力手段３４に接続されており、リード線３３を介して棒状体３１ａ〜３１ｈにおける一対の棒状体に波形信号出力手段３４から所定の波形信号が印加されるようになっている。例えば、棒状体３１ａと３１ｅあるいは、棒状体３１ｂと３１ｆ、あるいは、棒状体３１ｃと３１ｇ、等々、あるいは、これらの中の複数組に対して、波形信号出力手段３４から所定の波形信号が印加される。
【０１９６】
この図８図示の実施の形態の低周波施術器を用い、施術を受ける人の体に棒状体３１ａ〜３１ｈを接触させて、以下の条件で施術を行った。
【０１９７】
周波数連続波：０．５Ｈｚ〜１００Ｈｚ
周波数断続波：５Ｈ〜１００Ｈｚ
周波数疎密波：３Ｈｚ及び、２０Ｈｚ
出力電圧：０〜４０ＶＰ−Ｐ以上
出力極性：ＤＣ６Ｖ
なお、図８図示の実施形態では、棒状体３１ａの先端側球面の頂点と、棒状体３１ｅの先端側球面の頂点とは中心３２ａを中心として直線状に一列に配置され、棒状体３１ｂの先端側球面の頂点と、棒状体３１ｆの先端側球面の頂点とは中心３２ａを中心として直線状に一列に配置され、棒状体３１ｃの先端側球面の頂点と、棒状体３１ｇの先端側球面の頂点とも中心３２ａを中心として直線状に一列に配置され、棒状体３１ｄの先端側球面の頂点と、棒状体３１ｈの先端側球面の頂点とも中心３２ａを中心として直線状に一列に配置されている。
【０１９８】
低周波施術器は、任意の方向で、人体に接触させながら移動させた。
【０１９９】
この施術を受けた人達からは、首、肩、手脚、背中など全身のこりのほぐしが促され、気持ちよかった、癒されたとの感想が寄せられた。特に、手もみのマッサージ、等で施術を受けていた時とは異なり、痛みを感じることなくこりがほぐされたとの感想を寄せる人が多かった。また、顔や身体の深部などにおけるこりのほぐしにも効果があるとの感想を寄せた人や、筋肉の柔軟性の回復がうながされたとの感想を寄せた人もいた。
【０２００】
マッサージ師などが行うマッサージ、等の施術によってこりをほぐしてもらおうとすると、あまりにこりが激しいため、マッサージ師の負担が大きく、一方、マッサージ、等の施術を受けている人は、マッサージ自体による痛みを感じざるを得ないような強いこりの状態の時でも、この実施例の低周波施術器での施術を受けると痛みを感じることなくこりがほぐされたという評価も得た。
【０２０１】
この実施例の低周波施術器での施術は複数の棒状体３１ａ〜３１ｈを施術を受ける人の施術箇所に軽く接触させて移動させているだけでよいので、施術を行う側の負荷は、マッサージ師の負荷とは比較にならない軽いもので済む。
【０２０２】
マッサージ師などが行うマッサージ、等の施術を受ける場合にはマッサージ師の手ではマッサージを行うことが難しい人体の箇所があるが、この実施例の低周波施術器を用いた施術は、複数の棒状体３１ａ〜３１ｈを、施術を受ける人の施術箇所に軽く接触させて移動させるだけであるので、人体の内部の深い箇所への施術も可能になる。
【０２０３】
いずれにしても、手もみのマッサージ、等の施術を受けていた時とは異なり、痛みを感じることなくこりがほぐされた、気持ちよかった、癒されたとの感想を寄せる人が多く、手もみのマッサージ、等での施術に比較して格段に良好な施術効果が発揮されていることを、実際に施術を受けた人の感想から確認できた。
【０２０４】
引き続き、前記で説明した低周波施術器を用い、施術を受ける人体にジェルを塗布しておくことにより、複数の棒状体３１ａ〜３１ｈの人体への接触が当該ジェルを介して行われるようにして施術を行った。
【０２０５】
低周波施術器を用いて施術を行う際、施術を受ける人体にジェルを塗布しておくことにより、低周波施術器における一対の導子電極の人体への接触が当該ジェルを介して行われるようにすることは、従来から、行われていた。
【０２０６】
この実施例でも、施術を受ける人体にジェルを塗布しておくことにより、低周波施術機器における複数の導子電極として機能する棒状体３１ａ〜３１ｈの人体への接触が当該ジェルを介して行われるようにしたものである。
【０２０７】
上述したように、ジェルを使用していない場合でも、施術を受けた人達からは、手もみのマッサージ、等の施術を受けていた時とは異なり、痛みを感じることなくこりがほぐされた、気持ちよかった、癒された等々の感想が寄せられ、手もみのマッサージ、等での施術に比較して格段に良好な施術効果が発揮されていることを確認できたが、ジェルを併用し、複数の導子電極１１ａ〜１１ｈの人体への接触が当該ジェルを介して行われるようにして施術を行ったところ、更に、良好であったという感想が、施術を受けた人たちから寄せられた。
【０２０８】
以上、添付図面を参照して本発明の実施形態、実施例を説明したが、本発明は上述した実施形態、実施例に限られるものではなく、特許請求の範囲の記載から把握される技術的範囲において種々に変更可能である。
【符号の説明】
【０２０９】
１  施術器
２  支持体
３  リード線
４  波形信号出力手段
５  支持体の支持面
６ａ、６ｂ、６ｃ、６ｄ、６ｅ、６ｆ、６ｇ  支持位置
７ａ、７ｂ、７ｃ、７ｄ、７ｅ、７ｆ、７ｇ  金属製の支持棒
８ａ、８ｂ、８ｃ、８ｄ、８ｅ、８ｆ、８ｇ  金属製の球体
２１、２２  金属製の球体
２３、２４  金属製の支持ロッド
２５  支持体
２６  リード線
２７  波形信号出力手段
３１ａ、３１ｂ、３１ｃ、３１ｄ、３１ｅ、３１ｆ、３１ｇ、３１ｈ  金属製の棒状体
３２  支持体
３２ａ中心点
３３リード線
３４  波形信号出力手段
【図１】
2017119464.tif 000003
【図２】
2017119464.tif 000004
【図３】
2017119464.tif 000005
【図４】
2017119464.tif 000006
【図５】
2017119464.tif 000007
【図６】
2017119464.tif 000008
【図７】
2017119464.tif 000009
【図８】
2017119464.tif 000010
【国際調査報告】
2017119464.tif 000011
2017119464.tif 000012
2017119464.tif 000013
2017119464.tif 000014
2017119464.tif 000015
2017119464.tif 000016
2017119464.tif 000017
2017119464.tif 000018
2017119464.tif 000019
2017119464.tif 000020